(57)【要約】【課題】  ベース側の構造の如何を問わず、ベースにカバーをガタつくことなく固定できるようにする。【解決手段】べ−ス２に支持されるアクチュエータ部４を覆うカバー３は、天板３ａと、この天板３ａから下方へ延びる１対のフック片３ｆとを備え、ベ−ス２には、１対の起立片２ａと、各起立片２ａの側面に形成した係止突起２ｃと、各起立片２ａの上面に間隔を置いて形成した１対の突出部２ｆとを備える。また、各フック片３ｆには、下側に末広がりとなるように開口する開口部５ａと、開口部５ａに連続する幅狭部５ｂと、幅狭部５ｂに連続する幅広部５ｃとを設けた切込み溝５を形成し、カバー３の下面を突出部２ｆに当接させて、ベ−ス２の係止突起２ｃを切込み溝５の幅狭部５ｂと幅広部５ｃとの境界部分に係止して、カバー３をベ−ス２に弾性的に固定する。【選択図】  図１
2006134443.tif 000002
【特許請求の範囲】
【請求項１】
ベースと、このベースに支持されるアクチュエータ部と、このアクチュエータ部を覆うカバーとを備えた光ピックアップにおいて、
前記カバーは、天板と、この天板から下方へ延びる１対のフック片とを備え、
前記ベースは、上方へ延びる１対の起立片と、各起立片の側面に形成された係止突起と、各起立片の上面に間隔を置いて形成された１対の突出部とを備え、
前記各フック片には、下側に開口する切込み溝が形成されており、
前記切込み溝は、下側に末広がりとなるように開口する開口部と、この開口部と連続し前記係止突起の幅よりも小さな幅を有する幅狭部と、この幅狭部と連続し前記係止突起の幅よりも大きな幅を有する幅広部とを有し、
前記カバーの下面を前記ベースの突出部に当接させた状態で、前記ベースの係止突起が前記フック片の切込み溝における幅狭部と幅広部との境界部分に係止することにより、前記カバーを前記ベースに弾性的に固定したことを特徴とする光ピックアップ。
【請求項２】
ベースと、このベースに支持されるアクチュエータ部と、このアクチュエータ部を覆うカバーとを備えた光ピックアップにおいて、
前記カバーは、天板と、この天板から下方へ延びる１対のフック片とを備え、
前記ベースは、前記各フック片に係止する１対の係止突起と、前記カバーの下面に当接する突出部とを備え、
前記各フック片には、下側に開口する切込み溝が形成されており、
前記切込み溝は、下側に開口し前記係止突起の幅よりも小さな幅を有する幅狭部と、この幅狭部と連続し前記係止突起の幅よりも大きな幅を有する幅広部とを有し、
前記カバーの下面を前記ベースの突出部に当接させた状態で、前記ベースの係止突起が前記フック片の切込み溝における幅狭部と幅広部との境界部分に係止することにより、前記カバーを前記ベースに弾性的に固定したことを特徴とする光ピックアップ。
【請求項３】
請求項２に記載の光ピックアップにおいて、
前記切込み溝は、下側に末広がりとなるように開口する開口部を有していることを特徴とする光ピックアップ。
【発明の詳細な説明】
【技術分野】
【０００１】
本発明は、ＣＤ（Compact Disk）やＤＶＤ（Digital Versatile Disk）のような光ディスクに対して情報の記録再生を行うための光ピックアップに関し、特に、光ピックアップのアクチュエータ部を覆うカバーの取付構造に関するものである。
【背景技術】
【０００２】
従来、ＤＶＤレコーダ等の光ディスクドライブに組み込まれている光ピックアップにおいて、そのベースに支持されるアクチュエータ部を覆うためのカバーを備えた光ピックアップが、以下の特許文献１，特許文献２，特許文献３において提案されている。
【０００３】
これらの各文献に記載された光ピックアップは、ベース側に一方の係合突部または係合孔を複数個形成し、前記べ−スに支持されるアクチュエータ部を覆うカバーに他方の係合孔または係合突部を複数個形成して、カバーによってアクチュエータ部を上側から覆うに際して、前記一方の係合突部と他方の係合孔、または一方の係合孔と他方の係合突部とを互いに係合させることで、カバーをべ−スに取り付けるようにしている。
【特許文献１】特開２０００−２５１２９８号公報
【特許文献２】特開２０００−２６００４４号公報
【特許文献３】特開２００２−３７３４３２号公報
【発明の開示】
【発明が解決しようとする課題】
【０００４】
しかしながら、係合孔と係合突部とを互いに係合させて、べ−ス側にカバーを取付ける構成では、係合孔と係合突部との間に小さいクリアランスが必然的に形成されるので、たとえば、光ピックアップのシーク時や、フォーカス動作時、トラッキング動作時などに生じる振動によって、カバ−がガタついて振動音を発するおそれを有している。
【０００５】
そこで、ベ−スに対してガタつくことなくカバーを取付けるための構造として、図７に示したようなものが考えられる。図７において、光ピックアップ１００は、金属厚板製のベース２０と、このべ−ス２０に支持されるアクチュエータ部（図示省略）を覆う金属薄板製のカバー３０とを備えている。
【０００６】
ベース２０は、そのＸ，Ｙ方向の両端部から上方に折り曲げられて互いに対向する１対の起立片２０ａと、これら起立片２０ａの間で上方へ延びて互いに対向するとともに、起立片２０ａよりも高さが高い１対のカバー当接部２０ｂ１，２０ｂ２とを備え、Ｘ側端部の起立片２０ａには、Ｌ，Ｒ方向に間隔を隔てて前方に突出する１対の係止突起２０ｃが突設され、Ｙ側端部の起立片２０ａには、Ｌ，Ｒ方向に間隔を隔てて後方に突出する１対の係止突起２０ｃが突設されている。これらの２対の係止突起２０ｃは、各起立片２０ａの一部を切り起こして形成されている。
【０００７】
カバー３０は、天板３０ａと、この天板３０ａのＸ，Ｙ方向の両端部から下方へ折れ曲がって互いに対向する１対の脚片３０ｂとを備え、これら脚片３０ｂには、Ｌ，Ｒ方向に間隔を隔てて１対の係合孔３０ｃが形成されており、これらの係合孔３０ｃのＬ，Ｒ方向の間隔は、前記１対の係止突起２０ｃのＬ，Ｒ方向の間隔と等しい値に設定され、また、係合孔３０ｃは、係止突起２０ｃの係脱が可能な大きさに設定されている。
【０００８】
上記構成の光ピックアップ１００によれば、図８に示すように、まず、ベース２０におけるＸ側の係止突起２０ｃに、カバー３０のＸ側の係合孔３０ｃを係合させた状態で、ベース２０によってカバー３０の上側を斜めに覆って、カバー３０における天板３０ａの裏面の一部を第１の当接点３０ｄ１として、Ｘ側のカバー当接部２０ｂ１の上端に当接させる。
【０００９】
つぎに、天板３０ａのＹ側端部を下側（Ｚ方向）に押し下げると、天板３０ａは、第１の当接点３０ｄ１を支点に弾性変形して折り曲げられ、第１の当接点３０ｄ１よりもＹ側の部位が下がって、天板３０ａの裏面の他の一部が第２の当接点３０ｄ２としてＹ側のカバー当接部２０ｂ２の上端に当接する。同時に、天板３０ａにおける第１の当接点３０ｄ１よりもＸ側の部位には、第１の当接点３０ｄ１を支点にした時計まわりの弾性復帰力が作用して、カバー３０のＸ側の係合孔３０ｃを引き上げて、その底面をＸ側の係止突起２０ｃの下面に密着させて、両者２０ｃ，３０ｃを係合させる。
【００１０】
つぎに、天板３０ａのＹ側端部をさらに下側（Ｚ方向）に押し下げると、天板３０ａは、第２の当接点３０ｄ２を支点に弾性変形して折り曲げられ、第２の当接点３０ｄ２よりもＹ側の部位が下がって、図９に示すように、ベース２０におけるＹ側の係止突起２０ｃに、カバー３０のＹ側の係合孔３０ｃが係合する。このときに、天板３０ａを下側（Ｚ方向）へ押し下げている力を解除すると、天板３０ａにおける第２の当接点３０ｄ２よりもＹ側の部位には、第２の当接点３０ｄ２を支点にした反時計まわりの弾性復帰力が作用して、カバー３０のＹ側の係合孔３０ｃを引き上げて、その底面をＹ側の係止突起２０ｃの下面に密着させて、両者２０ｃ，３０ｃが係合した状態となる。すなわち、天板３０ａの弾性復帰力によって、ベース２０における両側の係止突起２０ｃの下面に、カバー３０の両側の係合孔３０ｃの底面を密着させて、ベース２０にカバー３０を弾性的に固定した状態を得ることができる。したがって、光ピックアップ１００の動作時に振動が生じても、この振動によるカバー３０のガタつきを防止することができる。
【００１１】
ところが、前記図９のように、両側の係止突起２０ｃにカバー３０の係合孔３０ｃを密着させた固定状態を得るためには、１対のカバー当接部２０ｂ１，２０ｂ２の高さを１対の起立片２０ａよりも高く設定することが必要になる。しかし、１対のカバー当接部２０ｂ１，２０ｂ２は、１対の起立片２０ａとともに、ベース２０の一部を切り起こして形成されるので、ベース２０のＸ，Ｙ方向の大きさと各起立片２０ａの高さとの関係によっては、図１０に示すように、１対のカバー当接部２０ｂ１，２０ｂ２の高さが、１対の起立片２０ａよりも低くなる場合がある。
【００１２】
このように、１対のカバー当接部２０ｂ１，２０ｂ２の高さが１対の起立片２０ａよりも低くなると、天板３０ａの下面と１対のカバー当接部２０ｂ１，２０ｂ２の上端面との間に隙間が形成される。このため、天板３０ａの弾性復帰力によって、ベース２０におけるＸ，Ｙ方向の係止突起２０ｃの下面に、係合孔３０ｃの底面を密着させて、ベース２０にカバー３０を弾性的に固定した状態を得ることができない。したがって、光ピックアップ１００の動作時の振動によって、カバー３０にガタつきが生じるおそれを有している。つまり、従来の光ピックアップ１００では、ベース２０側の構造の如何によってガタつきの防止性能が低下するという問題がある。
【００１３】
本発明は、このような問題を解決するものであって、その課題とするところは、ベース側の構造の如何を問わず、ベースにカバーをガタつくことなく固定することができる光ピックアップを提供することにある。
【課題を解決するための手段】
【００１４】
本発明では、ベースと、このベースに支持されるアクチュエータ部と、このアクチュエータ部を覆うカバーとを備えた光ピックアップにおいて、カバーは、天板と、この天板から下方へ延びる１対のフック片とを備え、ベースは、各フック片に係止する１対の係止突起と、カバーの下面に当接する突出部とを備え、各フック片には、下側に開口する切込み溝が形成されており、この切込み溝は、下側に開口し係止突起の幅よりも小さな幅を有する幅狭部と、この幅狭部と連続し係止突起の幅よりも大きな幅を有する幅広部とを有している。そして、カバーの下面をベースの突出部に当接させた状態で、ベースの係止突起がフック片の切込み溝における幅狭部と幅広部との境界部分に係止することにより、カバーをベースに弾性的に固定するようにしている。
【００１５】
このようにすることで、カバーの天板に備わっている１対のフック片をベ−スに形成された係止突起に対応させて、ベ−スの上側にカバーを位置決めして当該カバーを押し下げると、まず、各フック片に形成されている切込み溝の幅狭部の下側開口に係止突起が当接して、カバーの押し下げを規制する。この状態から、さらにカバーを押し下げると、幅狭部は係止突起の干渉によって弾性拡開されてカバーの押し下げを許容し、ついには、係止突起が幅広部内に挿入される。これと同時に、カバーの天板の下面がベースの突出部に当接することにより、天板が弾性変形して下側に押し下げられ、かつ、前記各フック片を下限位置まで下降させる。この際にカバーの押し下げを解除すると、押し下げられている天板は、弾性復帰力によって上昇するとともに、フック片が引き上げられて、各係止突起を切込み溝における幅狭部と幅広部との境界部分で弾性挟着して係止する。これによって、ベ−スにカバーをガタつくことなく固定することができる。
【００１６】
本発明の実施形態においては、ベースに上方へ延びる１対の起立片が形成されており、各起立片の側面に前記係止突起が設けられている。また、各起立片の上面に、間隔を置いて前記突出部が１対設けられている。
【００１７】
本発明においては、切込み溝は、下側に末広がりとなるように開口する開口部を有していることが好ましい。これによると、カバーの天板に備わっている１対のフック片をベ−スに形成された係止突起に対応させて、ベ−スの上側にカバーを位置決めして当該カバーを押し下げるに際して、各係止突起と切込み溝との相対位置に僅かなずれが生じたとしても、開口部は、下側に末広がりとなるように開口していることによって、各係止突起と切込み溝との相対位置の僅かなずれを吸収するガイドとして作用し、各係止突起と切込み溝との相対位置を適正な状態に補正することができるので、ベ−スに対するカバーの固定作業が容易になるという利点がある。
【発明の効果】
【００１８】
本発明によれば、ベースの上側にカバーを対応させたのちに、当該カバーを押し下げて、カバーの天板をベースの突出部に当接させ、この状態でさらに天板を押し下げることにより、天板を弾性変形させて弾性復帰力を付与し、カバーの押し下げを解除したときに生じる弾性復帰力によって、天板を上昇させるとともに、フック片を引き上げて、係止突起を切込み溝における幅狭部と幅広部との境界部分で弾性挟着して係止するようにしているので、ベース側の構造の如何を問わず、ベ−スにカバーをガタつくことなく固定することができる。また、カバーの天板に備わっている１対のフック片をベ−スに形成された係止突起に対応させて、ベ−スの上側にカバーを位置決めしたのちに、単に、カバーを押し下げる簡単なワンタッチ操作によって、ベ−スに対してカバーを取付けることができる。このため、カバーの取付け作業能率が大幅に向上する。
【発明を実施するための最良の形態】
【００１９】
図１は、本発明の光ピックアップの実施形態を示す分解斜視図である。光ピックアップ１は、金属厚板製のベース２と、このべ−ス２に支持されるアクチュエータ部４を覆う金属薄板製のカバー３とを備えている。
【００２０】
ベース２には、アクチュエータ部４の構成部材である１対の磁石４ａを保持し、磁路を形成するためのヨークとして機能する１対の起立片２ａが上方に折り曲げられてＬ，Ｒ方向に互いに対向して設けられている。これら起立片２ａのそれぞれの側面には、たとえばハーフパンチと称されるプレス加工によって、係止突起２ｃが形成されている（図１では、Ｒ側の起立片２ａに形成されている係止突起２ｃのみが示されている）。また、各起立片２ａは、それぞれの上面にＸ，Ｙ方向に間隔を隔てて、上方に突出する１対の突出部２ｆを備えている。
【００２１】
カバー３は、天板３ａと、この天板３ａのＬ，Ｒ方向の両端部から下方へ折り曲がって互いに対向する１対のフック片３ｆとを備えている。これら１対のフック片３ｆ同士の対向間隔の大きさは、ベース２に設けられている１対の起立片２ａの側面間の寸法よりも僅かに大きく設定される。したがって、１対のフック片３ｆが両起立片２ａの側面を挟んで摺接しながらカバー３を下降させることができるように構成されている。
【００２２】
前記１対のフック片３ｆには、切込み溝５が形成されている。この切込み溝５は、下側に末広がりとなるように開口する開口部５ａと、この開口部５ａと連続し係止突起２ｃの幅（外径）よりも小さな幅を有して上下に延びる幅狭部５ｂと、この幅狭部５ｂと連続し係止突起２ｃの幅（外径）よりも大きな幅を有して切込み溝５の奥端部に設けられた略楕円状の幅広部５ｃとを備えている。
【００２３】
上記構成において、カバー３をベース２に取り付けるには、図２に示すように、カバー３の天板３ａに備わっている１対のフック片３ｆ（図２では、片側のフック片３ｆのみが示されている）をベ−ス２における１対の起立片２ａ（図２では、片側の起立片２ａのみが示されている）に形成された係止突起２ｃの上側に対応させて、ベ−ス２の上側にカバー３を位置決めする。
【００２４】
次に、図２の状態でカバー３の左右方向（図１のＬ，Ｒ方向）の両端部をＺ方向に押し下げると、図３に示すように、まず、各フック片３ｆに形成されている切込み溝５の開口部５ａの上端部にベース２側の係止突起２ｃが当接して、カバー３の押し下げを規制する。
【００２５】
そして、図３の状態からさらにカバー３を押し下げると、図４に示すように、切込み溝５の開口部５ａおよび幅狭部５ｂは係止突起２ｃの干渉によって弾性拡開されてカバー３の押し下げを許容し、ついには、図５に示すように、係止突起２ｃが切込み溝５の幅広部５ｃ内に挿入される。これと同時に、カバー３の天板３ａにおける下面の２箇所Ｐ１，Ｐ２が、各起立片２ａの上面に形成されている１対の突出部２ｆに当接することにより、Ｚ方向への押圧力によってカバー３の天板３ａは、前記２つの当接箇所Ｐ１，Ｐ２間の領域で、破線で示す位置から実線で示すように下向きに弾性変形する。これによって、各フック片３ｆは下限位置まで下降する。
【００２６】
この状態でカバー３の押し下げを解除すると、図５において実線で示されている２つの当接箇所Ｐ１，Ｐ２間の天板３ａの領域は、図６に示すように元の位置へ弾性復帰する。これとともに、フック片３ｆが引き上げられ、係止突起２ｃは、切込み溝５における幅狭部５ｂと幅広部５ｃとの境界部分で弾性挟着された状態で係止する。これにより、ベ−ス２にカバー３をガタつくことなく固定することができる。
【００２７】
このように、上記実施形態では、ベース２の上側にカバー３を対応させたのちに、カバー３を押し下げて、カバー３の天板３ａをベース２の突出部２ｆに当接させ、この状態でさらに天板３ａを押し下げることにより、天板３ａを弾性変形させて弾性復帰力を付与し、カバー３の押し下げを解除したときに生じる弾性復帰力によって、天板３ａを上昇させるとともに、１対のフック片３ｆを引き上げて、係止突起２ｃを切込み溝５における幅狭部５ｂと幅広部５ｃとの境界部分で弾性挟着して係止するようにしているので、ベース２側構造の如何を問わずガタツクことなくベ−ス２にカバー３を固定することができる。また、カバー３の天板３ａに備わっている１対のフック片３ｆをベ−ス２における１対の起立片２ａに形成された係止突起２ｃに対応させて、ベ−ス２の上側にカバー３を位置決めしたのちに、単に、カバー３を押し下げる簡単なワンタッチ操作によって、ベ−ス２に対してカバー３を取付けることができるので、カバー３の取付け作業能率を大幅に向上させることができる。
【図面の簡単な説明】
【００２８】
【図１】本発明の光ピックアップの実施形態を示す分解斜視図である。
【図２】ベースの上側にカバーを対応させた第１工程を示す右側面図である。
【図３】切込み溝の開口部に係止突起が挿入されている第２工程を示す右側面図である。
【図４】切込み溝の開口部と幅狭部が係止突起によって弾性拡開されている第４工程を示す右側面図である。
【図５】切込み溝の幅広部に係止突起が挿入されている第５工程を示す右側面図である。
【図６】カバーをベースに取付けた最終工程を示す右側面図である。
【図７】従来の光ピックアップの一例を示す分解斜視図である。
【図８】ベースにカバーを仮付けした第１工程を示す右側面図である。
【図９】カバーをベースに取付けた最終工程を示す右側面図である。
【図１０】従来の光ピックアップの他の例を示す右側面図である。
【符号の説明】
【００２９】
１  光ピックアップ
２  ベース
２ａ  起立片
２ｃ  係止突起
２ｆ  突出部
３  カバー
３ａ  天板
３ｆ  フック片
４  アクチュエータ部
５  切込み溝
５ａ  開口部
５ｂ  幅狭部
５ｃ  幅広部
【図１】
2006134443.tif 000003
【図２】
2006134443.tif 000004
【図３】
2006134443.tif 000005
【図４】
2006134443.tif 000006
【図５】
2006134443.tif 000007
【図６】
2006134443.tif 000008
【図７】
2006134443.tif 000009
【図８】
2006134443.tif 000010
【図９】
2006134443.tif 000011
【図１０】
2006134443.tif 000012